(57)【要約】【課題】  傷みやすい袋体ネット地の長さ方向両端部が内側から補強され、耐久性に優れた摺洗具を提供しようとするものである。【解決手段】  合成樹脂発泡体からなる芯体１がネット地からなる袋体２に包み込まれてなる摺洗具であって、袋体２の長さ方向中間部を除く両端部の内側に補強ネット部３が設けられている。補強ネット部３は、袋体２のネット地の延長部が折り返されて形成されている。折り返された補強ネット部３の遊端部は、袋体２のネット地に縫着されている。【選択図】  図１
2005177168.tif 000002
【特許請求の範囲】
【請求項１】
スポンジからなる芯体がネット地からなる袋体に包み込まれてなる摺洗具において、
袋体の長さ方向中間部を除く両端部の内側に少なくとも一層の補強ネット部が設けられてなることを特徴とする摺洗具。
【請求項２】
補強ネット部が、袋体のネット地の延長部が折り返されて形成されてなる請求項１に記載の摺洗具。
【請求項３】
補強ネット部が、袋体のネット地とは異色のネット地からなる請求項１に記載の摺洗具。
【請求項４】
補強ネット部の袋体中央部側端部が袋体に縫着されてなる請求項１ないし請求項３のいずれかに記載の摺洗具。
【発明の詳細な説明】
【技術分野】
【０００１】
この発明は、スポンジからなる芯体がネット地からなる袋体に包み込まれてなる摺洗具
に関する。
【背景技術】
【０００２】
スポンジからなる芯体がネット地からなる袋体に包み込まれてなる摺洗具は、袋体に破損が生じると、摺擦力が弱くなってしまうので、芯体がまだまだ使用に耐える状態であっても、廃棄されることがあり、いささか不経済であった。
そこで、実用新案登録第２５９６０２９号公報に示されるように、矩形のネット地を全体が三層になるように形成し、例えば第１層と第２層との間にスポンジを挿入して使用し、第２層の上方に位置する第３層のネット地が傷んで摺擦力が弱くなってくると、第２層と第３層の間にスポンジを挿入しなおして、摺擦力が弱くなった第３層を内側にして好ましい摺擦力を得られるようにした摺洗具が提案されている。
【特許文献１】特許第２５９６０２９号公報（図２，図４、図６）
【発明の開示】
【発明が解決しようとする課題】
【０００３】
上記実用新案登録第２５９６０２９号公報において提案されている摺洗具は、確かに摺擦力が弱くなった層を他の層に置き換えることにより全体として元の摺擦力を確保できるものである。
しかしながら、ネット地は往々にして摺洗具の長さ方向両端部が傷みやすいものであるから、摺洗具の長さ方向中間部が傷んでなくても、両端部が傷んでしまうとこのような層変換が行われることになり、ネット地全体が有効に利用されず、いささか不経済の嫌いがあった。
【０００４】
この発明は、このような課題に鑑み、傷みやすいネット地の長さ方向両端部が内側から補強され、耐久性に優れた摺洗具を提供しようとするものである。
【課題を解決するための手段】
【０００５】
上記目的を達成するために、この発明に係る摺洗具は、スポンジからなる芯体がネット地からなる袋体に包み込まれてなる摺洗具において、袋体の長さ方向中間部を除く両端部の内側に少なくとも一層の補強ネット部が設けられてなる構成を採用する。
補強ネット部は、袋体のネット地の延長分が折り返されて形成されてなることが好ましい。
補強ネット部は、袋体とは異なる色のネット地から作成されることもある。
補強ネット部の袋体中央部側端部は、袋体に縫着されてなることが好ましい。
【発明の効果】
【０００６】
この発明によれば、袋体の長さ方向中間部を除く両端部の内側に少なくとも一層の補強ネット部が設けられているから、袋体の長さ方向両端部が綻んできた場合には、内側から補強ネット部が露出し、該補強ネット部が袋体の長さ方向両端部の綻び箇所に代わって被摺洗物を摺洗することにより、摺擦力が低下することがない。
また、袋体の長さ方向両端部が綻び始めた場合、大抵は袋体長さ方向中央部が無傷であるにも拘わらず摺洗具全体が廃棄されてしまうことが多いが、該中央部が綻びるまであるいは補強ネット部が綻びるまで十分に摺擦できるので、耐久性に優れ経済的な摺洗部を提供できる。
【０００７】
補強ネット部が、袋体のネット地の延長部が折り返されて形成されてなる場合には、合理的に製造でき、部材管理面においても有利である。
補強ネット部が、袋体のネット地とは異色のネット地からなる場合には、内側から異色ネットが透かし見え、袋体のネット地が綻んできた際には内側から異色のネット地が露出することにより興趣性にも優れた摺洗具を提供できる。
補強ネット部の袋体中央部側端部が袋体に縫製されてなる場合には、袋本体長さ方向両端部の綻びが中央部まで伝播し難くなり、より一層耐久性の優れた摺洗具を提供できる。
【発明を実施するための最良の形態】
【０００８】
以下、この発明の一実施形態を図１〜３に基づいて説明する。
図１は、この発明に係る摺洗具（Ａ）の一部を切り欠いて示した全体斜視図で、発泡ポリウレタン等の発泡合成樹脂からなる蒲鉾板状のスポンジ芯体（１）が、袋体（２）に包み込まれている。
袋体（２）は、ナイロン、ポリエチレン等の合成繊維よりなるモノフィラメント糸等の耐摩耗性に優れた糸から織成されたネット地を袋状に縫製したもので、長さ方向両端部の内側に補強ネット部（３）が設けられている。この補強ネット部（３）は、袋体（２）を構成するネット地（４）を延設して得られるるものである。
【０００９】
この実施形態の摺洗具（Ａ）は、図３に示す工程を経て製作される。
まず、縦長のネット地（４）の長さ方向両端部を各々同じ側に折り返し、この折り返し部を補強ネット部（３）とし（図３−ａ）、該補強ネット部（３）の遊端部を袋体（１）となるネット地に縫着する（図３−ｂ）。（５）は縫着部である。
その後、ネット地（４）の幅方向中央から補強ネット部（３）を表側として二つ折りにして（図３−ｃ）、その遊端部どうしを縫着して扁平筒状に形成すると共に、扁平筒状の一開口端を縫着する（図３−ｄ）。（６）は袋本体幅方向（１）一側の縫着部、（７）は、扁平筒状の一開口端の縫着部である。
このようにして得られた袋体（２）を、今度は、補強ネット部（３）が内側になるように裏返し、開口端部から芯体（１）を袋体（２）の中へ挿入した後、開口端部を縫着することにより、図１に示すような摺洗具（Ａ）が得られる。図１中、（８）は、開口端部から芯体（１）を袋体（２）の中へ挿入した後の開口端部の縫着部である。
【００１０】
このようにして製作された  摺洗具（Ａ）もその使い方は、従来のこの種の摺洗具と同様に、長さ方向中央部を掴んで、主として長さ方向端部で被摺洗部を摺洗するものである。従って、袋体長さ方向中央部よりも袋体長さ方向両端部のネット地が先に傷んでくることになるが、袋体長さ方向両端部のネット地が綻んできても、その下方に設けられた補強ネット部（３）が露出し、該補強ネット部（３）が綻んだ部位に代わって摺擦力を発揮することになる。
また、補強ネット部（３）と袋体（２）との縫着部（５）が、袋体長さ方向両端部の表面の綻びを中央部まで伝播させないので、袋本体長さ方向中央部に綻びが起こり難い。
【００１１】
なお、この発明に係る摺洗具は、上記のように袋体（２）と補強ネット部（３）とが１枚のネット地から作成されずに、袋体（２）と補強ネット部（３）とが別々のネット地から作成されていても良い。また、スポンジ芯体（１）が上記実施形態においては、縦横に比して厚さの薄い蒲鉾板状のものであるが、その厚さは数倍であっても良い。
袋体（２）と補強ネット部（３）とが異色である場合は、当然別々のネット地から作成されることになる。
【図面の簡単な説明】
【００１２】
【図１】この発明に係る摺洗具の一実施形態の一部を切り欠いて示した全体斜視図である。
【図２】図１のII−II線断面図である。
【図３】この発明に係る摺洗具の一実施形態の製作工程の説明図である。
【符号の説明】
【００１３】
Ａ…摺洗具
１…芯体
２…袋体
３…補強ネット部
４…ネット地
５…縫着部
【図１】
2005177168.tif 000003
【図２】
2005177168.tif 000004
【図３】
2005177168.tif 000005